(57)【要約】【課題】仮設置されている戸別受信機であっても親局設備からの同報情報を受信可能な同報無線システムを提供する。【解決手段】親局設備１０の操作卓１２の呼出選択部１２２に、戸別受信機２２の宛先を示す呼出ＩＤと当該戸別受信機２２の移動先となる位置情報とをあらかじめ登録し、親局設備１０から戸別受信機２２向けに送信する呼出信号に、呼出選択部１２２に登録されている宛先を示す呼出ＩＤとともに移動先を示す位置情報を含ませて、無線送受信装置１１から配信する。戸別受信機２２は、親局設備１０からの呼出信号を受信した際に、当該呼出信号に含まれている呼出ＩＤと自機の呼出ＩＤとが合致した場合、もしくは、当該呼出信号に含まれている位置情報とＧＰＳ情報受信機２２３で検知した現在位置とが合致するかまたはあらかじめ定めた距離の範囲内であった場合、自機宛の呼出信号であるものと判定して、親局設備１０からの同報情報を受信する。【選択図】        図１
2010219986.tif 000002
【特許請求の範囲】
【請求項１】
親局設備からの同報情報を無線電波として移動性を有する戸別受信機に配信する同報無線システムにおいて、前記親局設備に、前記戸別受信機の宛先を示す呼出ＩＤと当該戸別受信機の移動先となる位置情報とをあらかじめ登録する呼出選択部を備え、前記親局設備から前記戸別受信機向けに送信する呼出信号が、前記呼出選択部に登録されている宛先を示す前記呼出ＩＤとともに移動先を示す前記位置情報を含んでいることを特徴とする同報無線システム。
【請求項２】
前記戸別受信機は、現在位置を検知するＧＰＳ（Global  Positioning  System）情報受信機を備え、前記呼出信号を受信した前記戸別受信機は、当該呼出信号に含まれている前記呼出ＩＤと自機の呼出ＩＤとが合致した場合、もしくは、当該呼出信号に含まれている前記位置情報と前記ＧＰＳ情報受信機が検知した自機の現在位置とが合致するかまたはあらかじめ定めた距離の範囲内であった場合、自機宛の呼出信号であるものと判定して、無線部を駆動して、前記親局設備からの前記同報情報を受信可能な状態に設定することを特徴とする請求項１に記載の同報無線システム。
【請求項３】
前記親局設備からの前記同報情報が、音声情報および／またはテキスト情報であることを特徴とする請求項１または２に記載の同報無線システム。
【請求項４】
同報情報を無線電波として移動性を有する戸別受信機に配信する同報無線システムにおける親局装置であって、前記戸別受信機の宛先を示す呼出ＩＤと当該戸別受信機の移動先となる位置情報とをあらかじめ登録する呼出選択部を備え、前記親局設備から前記戸別受信機向けに送信する呼出信号が、前記呼出選択部に登録されている宛先を示す前記呼出ＩＤとともに移動先を示す前記位置情報を含んでいることを特徴とする親局設備。
【請求項５】
前記同報情報が、音声情報および／またはテキスト情報であることを特徴とする請求項４に記載の親局設備。
【請求項６】
同報無線システムにおいて親局設備からの同報情報を無線電波として受信する移動性を有する戸別受信機であって、現在位置を検知するＧＰＳ（Global  Positioning  System）情報受信機を備え、前記親局設備からの呼出信号を受信した際に、当該呼出信号に含まれている呼出ＩＤと自機の呼出ＩＤとが合致した場合、もしくは、当該呼出信号に含まれている位置情報と前記ＧＰＳ情報受信機が検知した自機の現在位置とが合致するかまたはあらかじめ定めた距離の範囲内であった場合、自機宛の呼出信号であるものと判定して、無線部を駆動して、前記親局設備からの同報情報を受信可能な状態に設定することを特徴とする戸別受信機。
【請求項７】
前記親局設備からの前記同報情報が、音声情報および／またはテキスト情報であることを特徴とする請求項６に記載の戸別受信機。
【発明の詳細な説明】
【技術分野】
【０００１】
本発明は、同報無線システム、親局設備および戸別受信機に関する。
【背景技術】
【０００２】
災害発生時に、防災用等の各種の放送を罹災者に向けて同報無線によって行う同報無線システムが開発されている。同報無線システムは、例えば特許文献１の特開２００８−２８８７７４号公報「無線通信システム」に記載されているように、親局となる基地局つまり親局設備の操作卓から任意の避難場所やその近隣に設置された屋外子局や戸別受信機を選択して防災用等の各種の同報情報の配信（放送）を行うように構成されている。
【先行技術文献】
【特許文献】
【０００３】
【特許文献１】特開２００８−２８８７７４号公報（第３−５頁）
【発明の概要】
【発明が解決しようとする課題】
【０００４】
従来の同報無線システムにおいては、災害発生時の任意の避難場所やその近隣に設置された屋外子局および戸別受信機を親局設備にて選択して同報情報の配信（放送）を行っているが、従来の設置場所から持ち出されて戸別受信機が避難場所に仮設置されている場合、親局設備によって選択されない状態になってしまい、この戸別受信機は、親局設備の操作卓からの当該同報情報を受信することができないという問題があった。
【０００５】
本発明は、かかる事情に鑑みてなされたものであり、仮設置されている戸別受信機であっても親局設備からの同報情報を受信することが可能な仕組みを提供することを、その目的としている。
【課題を解決するための手段】
【０００６】
前述の課題を解決するため、本発明による同報無線システム、親局設備および戸別受信機は、次のような特徴的な構成を採用している。下記（１）、（４）及び（６）なる番号は請求項の項番号にそれぞれ対応している。
【０００７】
（１）親局設備からの同報情報を無線電波として移動性を有する戸別受信機に配信する同報無線システムにおいて、前記親局設備に、前記戸別受信機の宛先を示す呼出ＩＤと当該戸別受信機の移動先となる位置情報とをあらかじめ登録する呼出選択部を備え、前記親局設備から前記戸別受信機向けに送信する呼出信号が、前記呼出選択部に登録されている宛先を示す前記呼出ＩＤとともに移動先を示す前記位置情報を含んでいる同報無線システム。
（４）同報情報を無線電波として移動性を有する戸別受信機に配信する同報無線システムにおける親局装置であって、前記戸別受信機の宛先を示す呼出ＩＤと当該戸別受信機の移動先となる位置情報とをあらかじめ登録する呼出選択部を備え、前記親局設備から前記戸別受信機向けに送信する呼出信号が、前記呼出選択部に登録されている宛先を示す前記呼出ＩＤとともに移動先を示す前記位置情報を含んでいる親局設備。
（６）同報無線システムにおいて親局設備からの同報情報を無線電波として受信する移動性を有する戸別受信機であって、現在位置を検知するＧＰＳ（Global  Positioning  System）情報受信機を備え、前記親局設備からの呼出信号を受信した際に、当該呼出信号に含まれている呼出ＩＤと自機の呼出ＩＤとが合致した場合、もしくは、当該呼出信号に含まれている位置情報と前記ＧＰＳ情報受信機が検知した自機の現在位置とが合致するかまたはあらかじめ定めた距離の範囲内であった場合、自機宛の呼出信号であるものと判定して、無線部を駆動して、前記親局設備からの同報情報を受信可能な状態に設定する戸別受信機。
【発明の効果】
【０００８】
本発明の同報無線システム、親局設備および戸別受信機によれば、以下のような効果を奏することができる。
【０００９】
親局設備が送信する同報無線の呼出信号に、同報無線の宛先を示す呼出ＩＤの他に位置情報を含ませるとともに、同報無線の宛先となる戸別受信機にも現在位置を検知するＧＰＳ情報受信機を備えることにより、罹災者が呼出ＩＤとは異なる避難場所等に戸別受信機を仮設置した場合であっても、当該戸別受信機は親局設備からの同報情報（音声情報および／またはテキスト情報）を確実に受信することができる。
【図面の簡単な説明】
【００１０】
【図１】本発明による同報無線システムのシステム構成の一例を示すシステム構成図である。
【発明を実施するための形態】
【００１１】
以下、本発明による同報無線システム、親局設備および戸別受信機の好適な実施例について添付図を参照して説明する。
【００１２】
（本発明の特徴）
本発明の実施形態の説明に先立って、本発明の特徴についてその概要をまず説明する。本発明は、避難場所に仮設置されている戸別受信機があっても、親局側に、該避難場所に関する位置情報をあらかじめ登録しておくとともに、戸別受信機それぞれに、現在位置情報を取得するＧＰＳ（Global  Positioning  System）情報受信機を搭載することにより、親局の操作卓からの防災用等の同報情報の配信（放送）を、避難場所の戸別受信機に対しても送信することを可能とする仕組みを備えていることを主要な特徴としている。
【００１３】
（本発明の実施形態の構成）
図１は、本発明による同報無線システムのシステム構成の一例を示すシステム構成図であり、親局設備１０と１ないし複数の子局設備２０とからなり、親局設備１０からの同報無線電波を、各子局設備２０で受信するように構成されている。
【００１４】
図１に示すように、親局設備１０は、操作者の操作卓１２を介した指示に基づいて無線機を起動して無線電波を送受信する無線送受信装置１１と、各子局設備２０側へ放送用の同報情報を、操作者からの指示に基づいて、無線送受信装置１１に出力する操作卓１２とを少なくとも備えている。
【００１５】
ここで、無線送受信装置１１は、無線搬送波に変調を掛けて、放送用の同報情報（例えば放送用の音声情報および／または放送用のテキスト情報）を配信するものである。無線送受信装置１１と各子局設備２０との間の無線区間の信号としては、移動通信系の標準規格ＡＲＩＢ  ＳＴＤ−Ｔ７９に準拠する同報無線信号を用い、音声情報、テキスト情報のいずれであっても送信することができる。
【００１６】
また、操作卓１２には、操作者が操作する操作部１２１の他に、放送用の同報情報を配信する呼出先を選択する呼出選択部１２２が備えられている。該呼出選択部１２２には、同報宛先となる呼出ＩＤの他に、移動性を有する戸別受信機２２の移動先となる避難場所等やその近隣の位置情報があらかじめ登録されており、操作卓１２にて操作者が呼出先を選択する際に、呼び出す相手を指定する呼出ＩＤの他に、あらかじめ登録されている位置情報の中から所望の呼出先の位置情報を選択して、呼出先として指定することができる。
【００１７】
一方、子局設備２０としては、屋外の固定した位置に設置されている拡声器等の屋外子局２１の他に、非常時には取り外して持ち出しが可能な戸別受信機２２が各家庭等に配置されている。戸別受信機２２は、移動性を有しており、非難時等に屋内から持ち出して避難場所等に仮設置して、親局設備１０からの無線電波を受信することができる機能を備えている。
【００１８】
つまり、戸別受信機２２は、親局設備１０の無線送受信装置１１からの無線電波を、無線部２２１によって受信して復調し、該無線電波の制御チャンネルの呼出信号の中に含まれている呼出ＩＤを制御部２２２にて抽出して、当該戸別受信機２２の制御部２２２のメモリ２２２ａに保持している呼出ＩＤに一致していた場合には、当該戸別受信機２２が親局設備１０からの呼出対象であるものとして、以降、無線部２２１が受信状態となり、後続して、親局設備１０から配信されてくる放送音声情報および／または放送テキスト情報を受信し、復調して出力する機能を備えている。
【００１９】
さらに、戸別受信機２２は、移動先に仮設置される場合にも対応できるように、移動先の現在位置を検知するＧＰＳ（Global  Positioning  System）情報受信機２２３を内蔵または外部接続しており、該ＧＰＳ情報受信機２２３にて検知された現在位置情報をメモリ２２２ａに格納するようにしている。
【００２０】
したがって、戸別受信機２２は、親局設備１０の無線送受信装置１１からの無線電波を、無線部２２１によって受信して復調し、該無線電波の制御チャンネルの呼出信号の中に含まれている位置情報を制御部２２２にて抽出して、メモリ２２２ａに格納されている現在位置情報と照合することによって、親局設備１０の操作卓１２内の呼出選択部１２２により指定されている位置情報と同一位置またはあらかじめ定めた距離の範囲内の近傍する位置であった場合には、当該戸別受信機２２が親局設備１０からの呼出対象であるものとして、以降、無線部２２１が受信状態となり、後続して、親局設備１０から配信されてくる放送音声情報および／または放送テキスト情報を受信し、復調して出力する。
【００２１】
かくのごとく、戸別受信機２２は、親局設備１０の無線送受信装置１１から受信した呼出ＩＤが自局のメモリ２２２ａ内に保持している自局ＩＤに合致した場合、もしくは、親局設備１０の無線送受信装置１１から受信した位置情報と自局のメモリ２２２ａ内に格納している位置情報が合致または近接している場合には、無線部２２１が受信状態となり、親局設備１０の操作卓１２からの同報情報（放送音声情報および／または放送テキスト情報）を受信することができる。
【００２２】
（実施形態の動作の説明）
次に、図１の同報無線システムの動作の一例についてさらに説明する。操作者が親局設備１０の操作卓１２にある操作部１２１の中から例えば同報用ボタンを押下操作すると、無線送受信装置１１が起動されて、空きチャンネルを確保して、その旨を操作卓１２にランプ表示する。ランプ表示を確認した操作者は、次に、同報宛先を選択する操作部１２１の選択ボタンを押下すると、呼出選択部１２２が起動されて呼出相手を一覧表示してくるので、操作者はその中から同報宛先とする呼出相手を選択する。
【００２３】
呼出選択部１２２は、操作者が選択した呼出相手に該当する呼出ＩＤを抽出するとともに、当該呼出相手の避難場所またはその近隣の場所としてあらかじめ登録してある位置情報を抽出する。かかる選択操作を、同報宛先とする複数の呼出先を選択するまで繰り返す。
【００２４】
同報宛先とする呼出先すべてを選択が終了すると、呼出選択部１２２は、同報宛先として抽出した呼出ＩＤと抽出した位置情報とを、無線送受信装置１１に伝達する。無線送受信装置１１は、受け取った同報宛先を、制御チャンネルの呼出信号に付加して、同報無線電波として送出する。
【００２５】
親局設備１０の無線送受信装置１１からの同報無線電波に含まれている呼出信号を受信した子局設備２０側の屋外子局２１や戸別受信機２２は、該呼出信号に含まれている呼出ＩＤや位置情報に基づいて、自機宛の呼出信号か否かを確認する。
【００２６】
つまり、固定設置されている屋外子局２１の場合は、呼出信号に含まれている呼出ＩＤが自機の呼出ＩＤに合致している場合は、自機宛の呼出信号と判別し、当該屋外子局２１の無線部を駆動して、後続する親局設備１０の操作卓１２からの放送音声情報および／または放送テキスト情報を受信可能な状態に設定する。
【００２７】
また、移動性を有する戸別受信機２２の場合は、呼出信号に含まれている呼出ＩＤが自機の呼出ＩＤに合致しているか、もしくは、呼出信号に含まれている位置情報が、メモリ２２２ａに格納されている位置情報に合致しているかを確認し、いずれかに合致している場合は、自機宛の呼出信号と判別し、当該戸別受信機２２の無線部２２１を駆動して、後続する親局設備１０の操作卓１２からの放送音声情報および／または放送テキスト情報を受信可能な状態に設定する。
【００２８】
ここで、戸別受信機２２のメモリ２２２ａには、ＧＰＳ情報受信機２２３が検知している現在位置情報が格納されている。したがって、戸別受信機２２が本来設置されていた場所から移動して、避難場所等に戸別受信機２２が仮設置されている状態であっても、呼出信号に含まれている位置情報を基にして、戸別受信機２２の無線部２２１を受信可能な状態に設定することができる。
【００２９】
なお、親局設備１０側においては、同報宛先とする複数の呼出先を選択が終了すると、呼出選択部１２２は、音声情報を入力する場合は、操作卓１２の操作部１２１のスピーカをオンにする。また、テキスト情報を入力する場合は、操作卓１２の操作部１２１のキーを操作可能な状態にする。これにより、操作者は、放送音声情報および／または放送テキスト情報を入力することができる。
【００３０】
操作者から入力された放送音声情報および／または放送テキスト情報は、無線送受信装置１１から、子局設備２０側に向けて同報配信されるので、自機宛の呼出信号を受信していた子局設備２０側の屋外子局２１や戸別受信機２２は、親局設備１０の操作卓１２からの放送音声情報および／または放送テキスト情報を受信することができる。
【００３１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）、（４）及び（６）に加え、次のような構成として表現できる。下記（２）、（３）、（５）及び（７）なる番号は、請求項の項番号にそれぞれ対応している。
（２）前記戸別受信機は、現在位置を検知するＧＰＳ（Global  Positioning  System）情報受信機を備え、前記呼出信号を受信した前記戸別受信機は、当該呼出信号に含まれている前記呼出ＩＤと自機の呼出ＩＤとが合致した場合、もしくは、当該呼出信号に含まれている前記位置情報と前記ＧＰＳ情報受信機が検知した自機の現在位置とが合致するかまたはあらかじめ定めた距離の範囲内であった場合、自機宛の呼出信号であるものと判定して、無線部を駆動して、前記親局設備からの前記同報情報を受信可能な状態に設定する上記（１）の同報無線システム。
（３）前記親局設備からの前記同報情報が、音声情報および／またはテキスト情報である上記（１）または（２）の同報無線システム。
（５）前記同報情報が、音声情報および／またはテキスト情報である上記（４）の親局設備。
（７）前記親局設備からの前記同報情報が、音声情報および／またはテキスト情報である上記（６）の戸別受信機。
【符号の説明】
【００３２】
１０      親局設備
１１      無線送受信装置
１２      操作卓
２０      子局設備
２１      屋外子局
２２      戸別受信機
１２１    操作部
１２２    呼出選択部
２２１    無線部
２２２    制御部
２２２ａ  メモリ
２２３    ＧＰＳ情報受信機
【図１】
2010219986.tif 000003